(57)【要約】      （修正有）【課題】リールの巻き速度を速くしても水面からの飛び上がりを抑えることができる釣り用ルアーを提供する。【解決手段】魚形状をした魚形状体４を備え、この魚形状体４の先端部に設けられたアイ部２６に釣り糸３２が結び付けられる釣り用ルアー。魚形状体４は、その後端部に設けられた尾びれ部３８を有し、前記魚形状体４の前部にはリップ部３４が設けられ、この尾びれ部３８が魚形状体４に水平状に設けられている。この尾びれ部３８は、魚状本体部４の後端部に前後方向に延びる前後軸線を中心として所定角度範囲にわたって旋回自在に取り付けられるのが好ましい。【選択図】図１
2015128401.tif 000002
【特許請求の範囲】
【請求項１】
魚形状をした魚形状体を備え、前記魚形状体の先端部に設けられたアイ部に釣り糸が結び付けられる釣り用ルアーにおいて、
前記魚形状体は、その後端部に設けられた尾びれ部を有し、前記魚形状体の前部にリップ部が設けられ、前記尾びれ部が前記魚形状体に水平状に設けられていることを特徴とする釣り用ルアー。
【請求項２】
前記尾びれ部は、前記魚形状体の前記後端部に前後方向に延びる前後軸線を中心として所定角度範囲にわたって旋回自在に取り付けられていることを特徴とする請求項１に記載の釣り用ルアー。
【請求項３】
前記尾びれ部は、前記魚形状体に取り付けられる取付部と、前記取付部から後方に延びるひれ部とを有し、前記取付部の少なくとも一側部に旋回拘束部が設けられており、前記取付部の前記旋回拘束部が前記魚形状体の前記後端部に当接することによって、前記尾びれ部の前記前後軸線を中心とする旋回動が拘束されることを特徴とする請求項２に記載の釣り用ルアー。
【請求項４】
前記尾びれ部の前記ひれ部は、前記取付部の下端部から後方に向けて下方に傾斜して延びていることを特徴とする請求項１〜３のいずれかに記載の釣り用ルアー。
【請求項５】
前記尾びれ部の前記ひれ部は、前記魚形状体の幅方向両側に延びており、前記ひれ部の両側部は、その中央部から両側に向けて上方に傾斜して延びていることを特徴とする請求項１〜４のいずれかに記載の釣り用ルアー。
【請求項６】
前記魚形状体は、前記アイ部及び前記リップ部が設けられたヘッド部と、前記尾びれ部が設けられたテール部とを備え、前記ヘッド部と前記テール部とが上下方向に延びる上下軸線を中心として所定範囲にわたって旋回自在に連結されていることを特徴とする請求項１〜５のいずれかに記載の釣り用ルアー。
【請求項７】
前記尾びれ部は、前記魚形状体に取り付けられる取付部と、前記取付部から後方に延びるひれ部とを有し、前記ひれ部は、前記魚形状体の幅方向両側に延び、その両側部が中央部から両側に向けて上方に傾斜して延びる第１取付状態と、その両側部が前記中央部から両側に向けて下方に傾斜して延びる第２取付状態に選択的に取付可能であることを特徴とする請求項１〜３のいずれかに記載の釣り用ルアー。
【発明の詳細な説明】
【技術分野】
【０００１】
本発明は、魚釣りに用いる釣り用ルアー（所謂、疑似餌）に関する。
【背景技術】
【０００２】
近年、魚（例えば、ブラックバスなど）を釣るのに釣り用ルアーを用いたルアーフィッシングが広く行われている。このルアーフィッシングでは、釣る魚の種類に応じて種々のルアーが使用されており、例えばブラックバス用のものとして魚形の釣り用ルアーが提案されている（例えば、特許文献１参照）。
【０００３】
この釣り用ルアーは、軟質ゴム又は軟質樹脂で成形された魚形状体を備え、この魚形状体の先端部に、フック（所謂、釣り針）を上から下に向けて通過させるための金属製コイルが埋め込まれている。また、尾びれ部は魚形状体の後端部に一体的に設けられ、また背びれ部が魚形状体の背部に一体的に設けられている。
【先行技術文献】
【特許文献】
【０００４】
【特許文献１】特開２０１２−４４９７２号公報
【発明の概要】
【発明が解決しようとする課題】
【０００５】
上述した従来の釣り用ルアーでは、魚形状体自体が魚の外形に似るように形成され、その尾びれ部が魚形状体の後端部に上下方向に設けられており、このことに関連して、次の通りの問題がある。
【０００６】
一般的に、ブラックバスなどの肉食魚では、釣り用ルアーを魚と間違えて食いつくために、この釣り用ルアーを魚が泳いでいるように動かすことによって食いつきが良く、魚（例えば、ブラックバス）が良く釣れるようになる。
【０００７】
例えば、リールを巻くと、この釣り糸とともに釣り用ルアーが引っ張られて動き、その巻き速度が遅いと、釣り用ルアーは魚がゆっくり泳いでいるように見え、その巻き速度が速いと、釣り用ルアーは魚が速く逃げるように泳いでいるように見え、このような動きによって、魚（例えば、ブラックバス）は、生きた魚と見間違えて釣り用ルアーに食いつくようになる。
【０００８】
しかし、従来の釣り用ルアーでは、尾びれ部が上下方向に設けられているために、上下方向に対する水の抵抗が小さく、リールの巻き速度を速くして魚が逃げるように動かそうとすると、釣り用ルアーが水面から飛び上がるようになり、魚（例えば、ブラックバスなどの肉食魚）は、釣り用ルアーのこのような動きでもって魚でないことを見破り、このような釣り用ルアーには食いつかなくなる。
【０００９】
本発明の目的は、リールの巻き速度を速くしても水面からの飛び上がりを抑えることができる釣り用ルアーを提供することである。
【課題を解決するための手段】
【００１０】
本発明の請求項１に記載の釣り用ルアーは、魚形状をした魚形状体を備え、前記魚形状体の先端部に設けられたアイ部に釣り糸が結び付けられる釣り用ルアーにおいて、
前記魚形状体は、その後端部に設けられた尾びれ部を有し、前記魚形状体の前部にリップ部が設けられ、前記尾びれ部が前記魚形状体に水平状に設けられていることを特徴とする。
【００１１】
また、本発明の請求項２に記載の釣り用ルアーでは、前記尾びれ部は、前記魚形状体の前記後端部に前後方向に延びる前後軸線を中心として所定角度範囲にわたって旋回自在に取り付けられていることを特徴とする。
【００１２】
また、本発明の請求項３に記載の釣り用ルアーでは、前記尾びれ部は、前記魚形状体に取り付けられる取付部と、前記取付部から後方に延びるひれ部とを有し、前記取付部の少なくとも一側部に旋回拘束部が設けられており、前記取付部の前記旋回拘束部が前記魚形状体の前記後端部に当接することによって、前記尾びれ部の前記前後軸線を中心とする旋回動が拘束されることを特徴とする。
【００１３】
また、本発明の請求項４に記載の釣り用ルアーでは、前記尾びれ部の前記ひれ部は、前記取付部の下端部から後方に向けて下方に傾斜して延びていることを特徴とする。
【００１４】
また、本発明の請求項５に記載の釣り用ルアーでは、前記尾びれ部の前記ひれ部は、前記魚形状体の幅方向両側に延びており、前記ひれ部の両側部は、その中央部から両側に向けて上方に傾斜して延びていることを特徴とする。
【００１５】
また、本発明の請求項６に記載の釣り用ルアーでは、前記魚形状体は、前記アイ部及び前記リップ部が設けられたヘッド部と、前記尾びれ部が設けられたテール部とを備え、前記ヘッド部と前記テール部とが上下方向に延びる上下軸線を中心として所定範囲にわたって旋回自在に連結されていることを特徴とする。
【００１６】
更に、本発明の請求項７に記載の釣り用ルアーでは、前記尾びれ部は、前記魚形状体に取り付けられる取付部と、前記取付部から後方に延びるひれ部とを有し、前記ひれ部は、前記魚形状体の幅方向両側に延び、その両側部が中央部から両側に向けて上方に傾斜して延びる第１取付状態と、その両側部が前記中央部から両側に向けて下方に傾斜して延びる第２取付状態に選択的に取付可能であることを特徴とする。
【発明の効果】
【００１７】
本発明の請求項１に記載の釣り用ルアーによれば、魚形状体の尾びれ部がこの魚形状体に水平状に設けられているので、リールの巻き速度を速くして釣り用ルアーを速く動かしても尾びれ部の抵抗によって魚形状体の水面上への飛び上がりを抑えることができる。従って、例えばリールを速く巻くことによって、魚が速く逃げるような動きを見せることができ、このような動きは、肉食魚（例えば、ブラックバス）にとっては本物の魚のように見え、肉食魚の食いつきが良い釣り用ルアーを提供することができる。
【００１８】
また、本発明の請求項２に記載の釣り用ルアーによれば、尾びれ部は、魚形状体の後端部に前後方向に延びる前後軸線を中心として所定角度範囲にわたって旋回自在に取り付けられているので、リールを巻いて釣り用ルアーを動かした際に、魚形状体のローリングが抑えられ、これによって、実際の魚が泳ぐように見せることができる。
【００１９】
また、本発明の請求項３に記載の釣り用ルアーによれば、尾びれ部は、魚形状体に取り付けられる取付部と、この取付部から後方に延びるひれ部とを有し、取付部の少なくとも一側部に旋回拘束部が設けられているので、この旋回拘束部の上端部が魚形状体に当接する角度からその下端部が魚形状体に当接する角度の範囲にわったって旋回し、この旋回角度範囲を越える旋回動を確実に阻止することができる。
【００２０】
また、本発明の請求項４に記載の釣り用ルアーによれば、尾びれ部のひれ部は、取付部の下端部から後方に向けて下方に傾斜して延びているので、リールを回して釣り用ルアーを動かした際に、このひれ部が抵抗となって魚形状体の動きを激しくすることができる。特に、魚形状体が上下軸線を中心として相互に横方向に旋回自在に連結されたヘッド部及びテール部から構成された形態のものにおいては、ヘッド部に対してテール部が上下軸線を中心として激しく横方向に動いて魚が激しく跳ねるように見え、これによって、肉食魚（例えば、ブラックバスなど）の食いつきを良くすることができる。
【００２１】
また、本発明の請求項５に記載の釣り用ルアーによれば、尾びれ部のひれ部の両側部は、その中央部から両側に向けて上方に傾斜して延びているので、リールを巻いた際の抵抗を適度に逃がすことができ、これによって、リールを巻くときの負荷を適度にして巻くときの疲れを少なくすることができる。
【００２２】
また、本発明の請求項６に記載の釣り用ルアーによれば、魚形状体のヘッド部とそのテール部とが上下軸線を中心として所定範囲にわたって旋回自在に連結されているので、リールを巻いて釣り用ルアーを動かした際に、ヘッド部に対してテール部が横方向に動いて実際の魚が動くように見せかけることができる。
【００２３】
更に、本発明の請求項７に記載の釣り用ルアーによれば、魚形状体の尾びれ部は、ひれ部の両側部が中央部から両側に向けて上方に傾斜して延びる第１取付状態と、その両側部が中央部から両側に向けて下方に傾斜して延びる第２取付状態に選択的に取付可能であるので、リールを巻いて動かした際に、魚形状体に２種類の動きをさせることができる。特に、魚形状体が上下軸線を中心として相互に横方向に旋回自在に連結されたヘッド部及びテール部から構成された形態のものにおいては、第１取付状態においては、尾びれ部の抵抗によりヘッド部とテール部が上下軸線を中心として旋回するように動くのに対し、第２取付状態においては、尾びれ部の抵抗が小さくなってヘッド部とテール部との旋回動が抑えられるようになり、このように２種類の釣り用ルアーとして用いることができる。
【図面の簡単な説明】
【００２４】
【図１】本発明に従う釣り用ルアーの一実施形態を示す側面図。
【図２】図１の釣り用ルアーのヘッド部及びテール部の連結構造を示す断面図。
【図３】図１の釣り用ルアーにおける尾びれ部を展開して示す展開図。
【図４】図１の釣り用ルアーの尾びれ部を示す斜視図。
【図５】図４におけるＶ−Ｖ線による断面図。
【図６】図４におけるＶＩ−ＶＩ線による断面図。
【図７】図１の釣り用ルアーにおける尾びれ部の取付構造を示す断面図。
【発明を実施するための形態】
【００２５】
以下、添付図面を参照して、本発明に従う釣り用ルアーの一実施形態について説明する。図１において、図示の釣り用ルアー２（所謂、疑似餌）は、魚形状をした魚形状体４を備え、この魚形状体４は、魚形状体４の前部であるヘッド部６と、その後部であるテール部８とから構成され、ヘッド部６とテール部８とが連結機構１０を介して所定範囲にわたって旋回自在に連結されている。これらヘッド部６及びテール部８は、例えば、合成樹脂、木などから形成することができる。
【００２６】
図２をも参照して連結機構１０を説明すると、図示の連結機構１０は、ヘッド部６に設けられた一対の連結ピン１２と、テール部８に設けられた連結ねじ１４とから構成されている。この形態では、一対の連結ピン１２はヘッド部６の後端面１６に上下方向（図１において上下方向、図２において紙面に垂直な方向）に間隔をおいて設けられ、それらの先端側がヘッド部６に埋設されている。各連結ピン１２の他端側にはリング状の連結頭部１８が設けられ、これら連結頭部１８がヘッド部６から後方に突出している。また、テール部８の前端部には、一対の連結ピン１２に対応して上下方向に間隔おいて一対の収容凹部２０が設けられている。
【００２７】
ヘッド部６とテール部８とは、次のようにして連結される。即ち、一対の連結ピン１２がヘッド部６の後端面１６に取り付けられ、これら連結ピン１２の連結頭部１８がテール部８の対応する収容凹部２０内に位置付けられ、かかる状態にてテール部８の前端部に、連結ねじ１４が腹部側から背部側に向けて一対の連結ピン１２の連結頭部１８を通して埋設される。
【００２８】
この連結状態においては、連結ねじ１４が上下方向に延びる上下軸線を構成し、ヘッド部６とテール部８とはかかる上下軸線を中心として相互に旋回自在に連結され、テール部８が相対的に矢印２２で示す方向（図２において時計方向）に旋回してヘッド部６の後端部の左側端に当接する左旋回角度位置８Ａと、相対的に矢印２４で示す方向（図２において反時計方向）に旋回してヘッド部６の後端部の右側端に当接する右旋回角度位置８Ｂとの間を旋回自在となる。尚、上述とは反対に、テール部８の前端面に一対の連結ピン１２を設け、ヘッド部６の後端部に収容凹部を設け、かかる収容凹部に連結ピン１２の連結頭部１８を位置付けた状態にてヘッド部６の後端部に連結ねじ１４を埋設して連結するようにしてもよい。
【００２９】
ヘッド部６の前端部にはアイ部２６が設けられている。この形態では、取付ピン２８の先端側がヘッド部６の前端部に埋設され、この取付ピン２８のリング状の取付頭部３０がアイ部２６として機能する。このアイ部２６には、釣り竿（図示せず）に取り付けられたリール（図示せず）からの釣り糸３２が結び付けられ、リールを巻く（又は釣り竿を引く）ことによって、釣り糸３２を介して釣り用ルアー４を移動させることができる。
【００３０】
このヘッド部６には、更に、リップ部３４が設けられている。このリップ部３４は、合成樹脂製のプレートなどから構成され、ヘッド部６の前下部に設けられたスリット３６に挿入して接着剤などにより固着される。このようにリップ部３４を設けることにより、釣り糸３２を引いて（例えば、リールを巻く）釣り用ルアー２を動かすと、このリップ部３４に作用する水の抵抗によって魚本体部４が水中に潜るように動くとともに、ヘッド部６が左右に動き、釣り用ルアー２を魚が動くように見せかけることができる。特に、ヘッド部６及びテール部８を連結機構１０を介して旋回自在に連結した形態のものでは、ヘッド部６の動きによってテール部８にも水の抵抗が作用し、これによって、ヘッド部６に対して上下軸線（連結ねじ１４）を中心としてテール部８が相対的に所定範囲にわたって旋回し、その結果、魚がくねくねと泳ぐように見せかけることができ、この釣り用ルアー２を生きた魚の動きにより近づけることができる。
【００３１】
また、テール部８の後端部には尾びれ部３８が設けられ、この尾びれ部３８が水平状に設けられている。このように尾びれ部３８を水平状に設けることによって、リールを速く巻くなどして釣り用ルアー２を速く動かした際にも、この尾びれ部３８に作用する水の抵抗によって、魚形状体４の水面上への飛び上がりを抑えることができ、これによって、魚が速く逃げるような動きに見せかけることができる。この尾びれ部３８については、後に詳述する。
【００３２】
魚形状体４には、二つのフック３９，４０が設けられている。フック３９，４０は実質上同一の構成であり、リング状連結部４２と、このリング状連結部４２からＪ字状に延びる三つの針部４４を有し、これら針部４４は、周方向に間隔て配設されている。この形態では、一方のフック３９はヘッド部６の前下腹部に設けられ、この前下腹部に取り付けられた取付ピン４６の取付リング部４８に、フック３９のリング状連結部４２が連結されている。また、他方のフック４０は後下腹部に設けられ、この後下腹部に取り付けられた取付ピン５０の取付リング部５２に、フック４０のリング状連結部５０が連結されている。このようなフック３９，４０は、それ自体周知の他の形態のものを用いるようにしてもよい。
【００３３】
次に、図１とともに図３〜図７を参照して、尾びれ部３８及びこれに関連する構成について説明する。図示の尾びれ部３８は、テール部８の後端部に取り付けられる取付部５４と、この取付部５４から後方に延びるひれ部５６とを有し、このひれ部５６の両側部、即ち左側部５８及び右側部６０はその中央部８０から両側に延びている。また、取付部５４の両側部には左旋回拘束部６２及び右旋回拘束部６４が設けられ、これら左右旋回拘束部６２，６４は、図１及び図７に示すように、テール部８の両側において前方に突出して配設されている。
【００３４】
このような尾びれ部３８は、次のようにしてテール部８の後面に取り付けられる。この取付けには取付ねじピン６８が用いられ、その先端側にはねじ部７０が設けられ、その後端側にはリング状頭部７２が設けられている。尾びれ部３８は、その取付部５４の貫通孔６６を通して取付ねじピン６８のねじ部７０をテール部８に螺着することによって、このテール部８に取り付けられる。
【００３５】
この尾びれ部３８は、取付ねじピン６８の螺着状態によって第１装着状態と第２装着状態とにすることができる。取付ねじピン６８のリング状頭部７２が尾びれ部３８の取付部５４を圧接する（即ち、取付ねじピン６８を強く螺着する）第１装着状態（図１参照）においては、この取付部５４はテール部８の後面と取付ねじピン６８のリング状頭部７２との間に挟持されて固定的に取り付けられ、尾びれ部３８はテール部８に対して相対的に旋回することはない。一方、取付ねじピン６８のリング状頭部７２と尾びれ部３８の取付部５４との間に少しの隙間が生じる（即ち、取付ねじピン６８を隙間が生じるように少し緩く螺着する）第２装着状態（図７参照）においては、この取付部５４はテール部８と取付ねじピン６８のリング状頭部７２との間に固定的に挟持されず、尾びれ部３８のテール部８に対する相対的な旋回動が許容される。
【００３６】
この第２装着状態においては、尾びれ部３８は、取付ねじピン６８のねじ部７０（このこのねじ軸７０が前後方向に（図１において左右方向、図７において上下方向）に延びる前後軸線を構成する）を中心として旋回するが、この尾びれ部３８の旋回動を所定角度範囲に拘束するために、次のように構成されている。再び、図１及び図７を参照して、尾びれ部３８の左旋回拘束部６２は、テール部８の左側面より幾分間隔をおいて外側に配置され、またその右旋回拘束部６４は、テール部８の右側面より幾分間隔をおいて外側に配置されている。加えて、左右旋回拘束部６２，６４の幅Ｗ（図１における上下方向の幅Ｗ）は、テール部８の後端部の高さ方向の長さＬ（図１における上下方向の長さＬ）よりも小さく（Ｗ＜Ｌ）形成されている。
【００３７】
このように構成されているので、魚形状体４の後方（即ち、図７において矢印７４で示す方向）から見て、尾びれ部３８の時計方向の旋回動は、左旋回拘束部６２の上側端部がテール部８の左側面に当接する、又は右旋回拘束部６４の下側端部がテール部８の右側面に当接することによって拘束され、かかる角度位置を越える時計方向の旋回動が阻止される。また、尾びれ部３８の反時計方向の旋回動は、左旋回拘束部６２の下側端部がテール部８の左側面に当接する、又は右旋回拘束部６４の上側端部がテール部８の右側面に当接することによって拘束され、かかる角度位置を越える時計方向の旋回動が阻止され、このように左右旋回拘束部６２，６４を設けることによって、尾びれ部３８は、前後軸線を中心として所定角度範囲にわたって旋回自在となる。
【００３８】
このように尾びれ部３８を旋回自在にすることによって、リールを巻くなどして釣り用ルアー２を動かした際に、ひれ部５６の左右側部５８，６０に受ける水抵抗が適度にバランスされ、魚形状体４のローリングを抑えることができる。加えて、ヘッド部６に対してテール部８が上下軸線を中心として相対的に大きく旋回した際に、ひれ部５６の左右側部５８，６０における水の抵抗が変動し、この抵抗変動がテール部８の上下軸線を中心とする相対的旋回動を小さくするように作用し、これによって、魚形状体４の動きを実際の魚のように見せかけることができる。
【００３９】
この尾びれ部３８は、合成樹脂、金属プレート、木などから構成することができ、ひれ部５６の傾斜角度及び／又はひれ部５６の左右側部５８，６０の傾斜角度を調整可能にするためには、金属プレート（例えば、ステンレス製プレートなど）から形成するのが望ましい。
【００４０】
この尾びれ部３８のひれ部５６は、図１、図４及び図５に示すように、その取付部５４の下端部から後方に向けて下方に傾斜して延びるのが好ましく、このひれ部５６の傾斜角度α（前後軸線と平行である水平軸線に対する下方への傾斜角度）（図５参照）は、５〜５０度（５度≦α≦５０度）程度に設定され、１０〜３５度（１０度≦α≦３５度）程度であるのが好ましい。ひれ部５６の傾斜角度αが大きくなると、ひれ部５６に対する水の抵抗が大きくなり、釣り用ルアー２が水面付近を動くようになり、またこの傾斜角度αが小さくなると、ひれ部５６に対する水の抵抗が小さくなって水面深くを動くようになる。尾びれ部３８を例えば金属プレートから形成した場合、ひれ部５６の基部（具体的には、取付部５４とひれ部５６との接続部位）を変形させてこの傾斜角度αを容易に調整することが可能となる。
【００４１】
また、尾びれ部３８のひれ部５６における左右側部５８，６０は、図１及び図４〜図６に示すように、その中央部８０から両側に向けて上方に傾斜するように構成するのが好ましく、この左右側部５８，６０の傾斜角度β（中央部８０に対する上方への傾斜角度）（図６参照）は、１０〜５０度（１０度≦α≦５０度）程度に設定され、２０〜３５度（２０度≦α≦３５度）程度であるのが好ましい。左右側部５８，６０の傾斜角度βが大きくなると、両側部５８，６０に対する水の抵抗が小さく、魚形状体４のローリング抵抗が小さくなり、リールを巻いて釣り用ルアー２を動かす際の負荷が小さくなり、またこの傾斜角度βが大きくなると、両側部５８，６０に対する水の抵抗が大きく、魚形状体４のローリング抵抗が大きくなり、リールを巻いて動かす際の負荷が大きくなる。この尾びれ部３８を例えば金属プレートから形成した場合、ひれ部５６の基部と同様に、その両側部５８，６０の基部（具体的には、中央部８０と左右の側部５８，６０との接続部位）を変形させてこの傾斜角度βを容易に調整することができる。
【００４２】
この尾びれ部３８では、更に、ひれ部５６の中央部８０は、取付部５４側から先端側に向けてその幅（左右方向の幅であって、左側部５８と右側部６０との間の部位の幅方向の長さ）が漸減するように構成され、このように構成することによって、ひれ部５６の上面側において、左側部５８と右側部６０との間の水が後方にスムースに流れ、尾びれ部３８が安定するようになる。
【００４３】
この釣り用ルアー２を用いると、魚形状体４の後端部に取り付けられる尾びれ部３８が水平状に設けられるので、釣り用ルアー２を速く動かした際にも、魚形状体４の水面上への飛び上がりが抑えられ、これによって、魚が速く逃げるような動きに見せかけることができ、魚（特に、ブラックバスなどの肉食魚）の食いつきを良くすることができる。
【００４４】
この尾びれ部３８は、上述した取付状態（第１取付状態）と上下逆に裏返した状態で取付ねじピン６８によりテール部８に取り付けることができる。この取付状態（第２取付状態）においては、上述したと反対に、尾びれ部３８の左旋回拘束部６２は、テール部８の右側面の外側に位置し、その右旋回拘束部６４は、テール部９の左側面の外側に位置する。また、尾びれ部３８のひれ部５６は、後方に向けて上方に傾斜して延び、その両側部５８，６０は、両側に向けて下方に傾斜して延びる。
【００４５】
この第２取付状態においては、尾びれ部３８に作用する水の抵抗によって、テール部８はヘッド部６と同じように移動し、ヘッド部６及びテール部８は、連結機構１０を介して相互に旋回自在に連結されているにもかかわらずあたかも一体的であるかのように移動し、ヘッド部６及びテール部８が一体的に形成された魚形状体として使用することができ、尾びれ部３８の取付状態によって２種類の釣り用ルアー２として用いることができる。
【００４６】
以上、本発明に従う釣り用ルアーの一実施形態について説明したが、本発明はこのような実施形態に限定されず、本発明の範囲を逸脱することなく種々の変形乃至修正が可能である。
【００４７】
例えば、上述した実施形態では、ヘッド部６とテール部８とを連結機構１０を介して旋回自在に連結しているが、このような構成に限定されず、連結機構を省略し、ヘッド部６とテール部８とを一体的に形成するようにしてもよく、このような形態の釣り用ルアーにも同様に適用することができる。
【００４８】
また、上述した実施形態では、尾びれ部３８に左右旋回拘束部６２，６４を設けているが、必ずしも左右の旋回拘束部６２，６４を設ける必要はなく、左旋回拘束部６２及び右旋回拘束部６４のいずれか一方のみを設けることによって上述したと同様の効果を達成することができる。
【００４９】
また、例えば、上述した実施形態では、フック３９，４０をヘッド部６及びテール部８に取り付けているが、このような構成に限定されず、フック３９，４０に加えて、尾びれ部８を取り付ける取付ねじピン６８のリング状頭部７２にフック（図示せず）を取り付けるようにしてもよく、或いはフック４０に代えて、取付ねじピン６８にフックを取り付けるようにしてもよく、１個又は２個以上のフックを魚形状体４の適宜の箇所に取り付けることができる。
【符号の説明】
【００５０】
２  釣り用ルアー
４  魚形状体
６  ヘッド部
８  テール部
１０  連結機構
２６  アイ部
３４  リップ部
３８  尾びれ部
５４  取付部
５６  ひれ部
５８，６０  側部
６２，６４  旋回拘束部
【図１】
2015128401.tif 000003
【図２】
2015128401.tif 000004
【図３】
2015128401.tif 000005
【図４】
2015128401.tif 000006
【図５】
2015128401.tif 000007
【図６】
2015128401.tif 000008
【図７】
2015128401.tif 000009